(57)【特許請求の範囲】
【請求項１】
レンズ鏡筒２の入射光側８におけるレンズ鏡筒先端部５の内径部に設けられたアタッチメント装着用の雌ネジ部６に螺着されるフィルター枠４ａは光軸Ｃを中心にフィルター枠縁部１１を形成して各種機能を有するフィルターレンズ１２を保持し、該フィルター枠４ａはフィルターレンズ１２を保持したフィルター枠縁部１１と緩衝カバー材１３からなり、該フィルター枠４の緩衝カバー材１３はフィルター枠縁部１１を基材として外径φの寸法部分を大きくしたリング形状の外周部１４を形成すると共に前記フィルター枠縁部１１と同様の厚さＴ１を保有して前記レンズ鏡筒先端部５に装着されており、該フィルター枠４の緩衝カバー材１３が形成する外周部１４がカメラ本体１を机上等に載置した際にレンズ鏡筒２の重みでカメラ本体１が前方向に倒れることを防止してカメラ本体１とレンズ鏡筒２を略水平に保持または載置可能にすることを特徴とする高分子弾性体からなる緩衝機能付きフィルター枠。
【請求項２】
レンズ鏡筒２の入射光側８におけるレンズ鏡筒先端部５の内径部に設けられたアタッチメント装着用の雌ネジ部６に螺着されるフィルター枠４ｂは光軸Ｃを中心にフィルター枠縁部１１を形成して各種機能を有するフィルターレンズ１２を保持し、該フィルター枠４ｂはフィルターレンズ１２を保持したフィルター枠縁部１１と緩衝カバー材１３及び前記フィルター枠１１とレンズ鏡筒先端部５を覆う縁部カバー材１５からなり、該フィルター枠４ｂは前記縁部カバー材１５を介してレンズ鏡筒２の外周部において光軸Ｃの長手方向に厚さＴ２を保有して前記レンズ鏡筒先端部５に装着されており、前記フィルター枠４ｂの緩衝カバー材１３はフィルター枠縁部１１及び縁部カバー材１５を基材として外径φの寸法部分を大きくしたリング形状の外周部１４を形成すると共に前記フィルター枠４ｂと同様の厚さＴ２を保有し、該フィルター枠４ｂの緩衝カバー材１３が形成する外周部１４がカメラ本体１を机上等に載置した際にレンズ鏡筒２の重みでカメラ本体１が前方向に倒れることを防止してカメラ本体１とレンズ鏡筒２を略水平に保持または載置可能にすることを特徴とする高分子弾性体からなる緩衝機能付きフィルター枠。
【請求項３】
レンズ鏡筒２の入射光側８におけるレンズ鏡筒先端部５の内径部に設けられたアタッチメント装着用の雌ネジ部６に螺着されるフィルター回転枠１６及びフィルター固定枠１７において、前記フィルター回転枠１６は光軸Ｃを中心にフィルター枠縁部１１を形成して円偏光フィルターレンズ及び光条効果フィルターレンズ等を有するフィルターレンズ１２を保持し、該フィルター回転枠１６はフィルターレンズ１２を保持したフィルター枠縁部１１と緩衝カバー材１３ｂ及び前記レンズ鏡筒先端部５を覆うフィルター縁部カバー材１５からなり、該フィルター回転枠１６は前記フィルター縁部カバー材１５を介してレンズ鏡筒２の外周部１４において前記レンズ鏡筒先端部５に装着されており、また前記フィルター回転枠１６の緩衝カバー材１３ａはレンズ鏡筒２の外径φの寸法部分を大きくしたリング形状の外周部１４を形成すると共に前記フィルター回転枠１６はアタッチメント装着用の雌ネジ部６に螺着されるフィルター固定枠１７に対して滑動リング１８を介して光軸Ｃを中心に回転可能に設けられており、前記フィルター回転枠１６とフィルター固定枠１７の緩衝カバー材１３ａ、１３ｂが形成する外周部１４がカメラ本体１を机上等に載置した際にレンズ鏡筒２の重みでカメラ本体１が前方向に倒れることを防止してカメラ本体１とレンズ鏡筒２を略水平に保持または載置可能にすることを特徴とする高分子弾性体からなる緩衝機能付きフィルター枠。
【請求項４】
前記フィルター枠４ａ、４ｂまたはフィルター回転枠１６及びフィルター固定枠１７の外周部１４を形成する緩衝カバー材１３、１３ａ、１３ｂまたは縁部カバー材１５は柔らかい緩衝用の高分子弾性体からなり、該フィルター枠４ａ、４ｂの光軸Ｃ側の内部は任意の硬度を有する高分子弾性体のフィルター枠４ａ、４ｂにて形成されていることを特徴とする請求項１乃至請求項３のいずれかに記載された高分子弾性体からなる緩衝機能付きフィルター枠。
【請求項５】
前記フィルター枠４ａ、４ｂまたはフィルター回転枠１６及びフィルター固定枠１７を形成する緩衝カバー材１３、１３ａ、１３ｂや縁部カバー材１５並びにフィルター枠縁部１１は全体を柔らかい緩衝用の高分子弾性体にて形成していることを特徴とする請求項１乃至請求項３のいずれかに記載された高分子弾性体からなる緩衝機能付きフィルター枠。
【請求項６】
前記フィルター枠４ａ、４ｂまたはフィルター回転枠１６及びフィルター固定枠１７を形成する緩衝カバー材１３、１３ａ、１３ｂや縁部カバー材１５は外部側を任意の柔らかい緩衝用の高分子弾性体にて形成し、該緩衝用の高分子弾性体の硬度は前記外部側より光軸Ｃ側に向かって徐々に硬度を増す高分子弾性体にて形成されていることを特徴とする請求項１乃至請求項３のいずれかに記載された高分子弾性体からなる緩衝機能付きフィルター枠。
【発明の詳細な説明】
【技術分野】
【０００１】
本発明は、高分子弾性体からなる緩衝機能付きフィルター枠に関するものであり、特に本発明は、高分子弾性体からなる合成樹脂を用いて製作されるデジタルカメラ用の緩衝機能付きフィルター枠に関するものである。
【０００２】
また、本発明のデジタルカメラ用の緩衝機能付きフィルター枠は、高分子弾性体からなる合成樹脂、即ち、熱硬化性樹脂や熱可塑性樹脂、並びに合成樹脂を用いた繊維強化プラスチックスなどの複合材料を成形加工して製作されるものである。
【０００３】
而して、本発明における高分子弾性体からなる緩衝機能付きフィルター枠とは、カメラのレンズ鏡筒の先端部に緩衝機能付きのフィルター枠として装着され、該フィルター枠が撮影現場への移動中や撮影中にそのレンズ鏡筒先端部が堅いものにぶつかった場合などにフィルター枠が緩衝材となりカメラレンズの光軸を狂わせないようにするためのものである。また、本発明の緩衝機能付きフィルター枠は、カメラのレンズ鏡筒の先端部に装着され、該レンズ鏡筒先端部の外径を大きく付加することが可能な構成で該外径部分を大きく付加することにより、例えば、カメラ本体を机の上等に置いた場合にカメラ本体がカメラレンズの重みで前方向に倒れることを防止してカメラ本体とレンズ鏡筒を略水平に保持可能であり、カメラ本体がレンズの重みで倒れることによりレンズ鏡筒が直接衝撃を受けてレンズ光軸を狂わせないようにすることができるものである。
【背景技術】
【０００４】
従来、デジタルカメラのカメラレンズ鏡筒の先端部にされるフィルターは、レンズ保護用のフィルター、円偏光フィルター、光量調整フィルターと光条効果フィルターや被写体を柔らかく表現できるソフトフォーカス用フィルター等がある。そして、前記各種フィルターを保持するフィルター枠は、例えば特開２００５−３０１１７３号公報（以下、特許文献１と称する）に示す如く、広角レンズやズームレンズや望遠レンズに装着されてもケラレにくい薄型のフィルター枠を提供している。          
【０００５】
特許文献１の発明において、フィルターレンズを装着するフィルター外周枠は、該前面に他の光学系アタッチメント螺合用雌ネジ部を有し、該雌ネジ外筒側が装着されるカメラレンズ鏡筒より僅かに前面に突出した形状を有し、また該フィルター外周枠の後方にはカメラレンズ鏡筒に螺合連結される雄ネジ部を有しており、前記フィルターレンズはできるだけ後方に配置し、前記雄ネジ部が構成する雄ネジ外筒と共にカメラのレンズ鏡筒内に配置したことでフィルター枠の外周枠が薄型に構成できたフィルター枠を提供している。
【０００６】
また、特許文献１における発明の効果は、デジタルカメラに対応でき、広角レンズ等に装着してもケラレにくい薄型形状を有し、薄型でありながらデジタルカメラへの着脱操作がしやすく、また、円偏光フィルターや光条効果フィルターの如く回転枠の回転操作を伴うフィルターにあっても操作性の高いフィルター枠を提供するものであるとしている。
【０００７】
斯して、本発明は、上述した薄型フィルター枠を改良しフィルター枠自体は薄型でケラレにくい構成を有し、該薄型フィルター枠を高分子弾性体にて成形加工するとともに、フィルター枠の外周部を大きく付加して、該付加したフィルター枠の外周部にカメラレンズ鏡筒の緩衝機能を加えたフィルター枠を提供するものである。  
【先行技術文献】
【特許文献】
【０００８】
【特許文献１】特開２００５−３０１１７３号公報
【発明の概要】
【発明が解決しようとする課題】
【０００９】
本発明における緩衝機能付きフィルター枠は、カメラのレンズ鏡筒の先端部に高分子弾性体からなる成形加工部材からなる緩衝機能付きのフィルター枠として装着され、該フィルター枠が撮影現場への移動中や撮影中にそのレンズ鏡筒先端部が堅いものにぶつかった場合などにフィルター枠の外周部分が緩衝材となりカメラレンズの光軸を狂わせないようにするためのものである。
【００１０】
また、本発明の緩衝機能付きフィルター枠は、カメラのレンズ鏡筒の先端部に装着され、該レンズ鏡筒先端部の外周部分を大きく付加することが可能な構成で、該外周部分を大きく付加することにより、例えば、カメラ本体を机の上等に置いた場合にカメラ本体がカメラレンズの重みで前方向に倒れることを防止してカメラ本体とレンズ鏡筒を略水平に保持可能であり、カメラ本体がレンズの重みで倒れることによりカメラのレンズ鏡筒が直接衝撃を受けてレンズ光軸を狂わせないようにすることができるものである。
【課題を解決するための手段】
【００１１】
本発明において、高分子弾性体からなるデジタルカメラ用のフィルター枠は、適度の弾性を有する熱可塑性樹脂や繊維強化プラスチックスなどの複合樹脂を成形加工してリング形状のデジタルカメラ用のフィルター枠を提供するものである。
【００１２】
また、本発明において、カメラのレンズ鏡筒の先端部に装着されるフィルター枠は、レンズ保護用のフィルター、円偏光フィルター、光量調整フィルターと光条効果フィルターや被写体を柔らかく表現できるソフトフォーカス用フィルター等を保持したデジタルカメラ用の緩衝機能付きフィルター枠である。
【００１３】
而して、本発明におけるカメラレンズ鏡筒の入射光側先端部に設けられたフィルター枠は、光軸を中心にフィルター枠縁部を形成して各種機能を有するフィルターレンズを保持し、該フィルター枠はフィルターレンズを保持したフィルター枠縁部と緩衝カバー材からなり、該フィルター枠の緩衝カバー材はフィルター枠縁部を基材として外径寸法を大きく付加するリング形状の外周部を形成し、該フィルター枠の緩衝カバー材が形成する外周部がカメラ本体を机上等に載置した際にカメラレンズの重みでカメラ本体が前方向に倒れることを防止してカメラ本体とレンズ鏡筒を略水平に保持可能にすることができる高分子弾性体からなる緩衝機能付きフィルター枠を提供するものである。
【００１４】
また、本発明において、カメラレンズ鏡筒の入射光側先端部に設けられたアタッチメント装着用の雌ネジ部に螺着されるフィルター枠は、光軸を中心にフィルター枠縁部を形成して各種機能を有するフィルターレンズを保持し、該フィルター枠はフィルターレンズを保持したフィルター枠縁部並びに緩衝カバー材と縁部カバー材からなり、該フィルター枠は前記縁部カバー材を介してレンズ鏡筒の外周部でカメラ本体側に突出して装着されており、また前記フィルター枠の緩衝カバー材はレンズ鏡筒の外径寸法を大きく付加するリング形状の外周部を形成し、該フィルター枠の緩衝カバー材が形成する外周部がカメラ本体を机上等に載置した際にカメラレンズの重みでカメラ本体が前方向に倒れることを防止してカメラ本体とレンズ鏡筒を略水平に保持可能にすることができる高分子弾性体からなる緩衝機能付きフィルター枠を提供するものである。
【００１５】
更に、本発明において、カメラレンズ鏡筒の入射光側先端部に設けられたフィルター回転枠は、光軸を中心にフィルター枠縁部を形成して円偏光フィルターレンズ及び光条効果フィルターレンズ等を有するフィルターレンズを保持し、該フィルター回転枠はフィルターレンズを保持したフィルター枠縁部並びに緩衝カバー材とフィルター縁部カバー材からなり、該フィルター回転枠は前記フィルター縁部カバー材を介してレンズ鏡筒の外周部でカメラ本体側に突出して装着されており、また前記フィルター回転枠の緩衝カバー材はレンズ鏡筒の外径寸法を大きく付加するリング形状の外周部を形成し、該フィルター回転枠はアタッチメント装着用の雌ネジ部に螺着されるフィルター固定枠に対して滑動リングを介して光軸を中心に回転可能に設けられており、前記フィルター回転枠の緩衝カバー材が形成する外周部がカメラ本体を机上等に載置した際にカメラレンズの重みでカメラ本体が前方向に倒れることを防止してカメラ本体とレンズ鏡筒を略水平に保持可能にすることができる高分子弾性体からなる緩衝機能付きフィルター枠を提供するものである。
【００１６】
そして、本発明において、前記フィルター枠またはフィルター回転枠の外周側を形成する緩衝カバー材または縁部カバー材は、比較的柔らかい緩衝用の高分子弾性体からなり、該フィルター枠の光軸側内部は硬度を有する高分子弾性体のフィルター枠にて形成されている。
【００１７】
また、本発明において、前記フィルター枠またはフィルター回転枠を形成する緩衝カバー材や縁部カバー材並びにフィルター枠縁部は、全体を比較的柔らかい緩衝用の高分子弾性体にて形成されている。
【００１８】
更に、本発明において、前記フィルター枠またはフィルター回転枠を形成する緩衝カバー材や縁部カバー材は、外部側を比較的柔らかい緩衝用の高分子弾性体にて形成し、該緩衝用の高分子弾性体の硬度は前記外部側より光軸側に向かって徐々に硬度を増す高分子弾性体にて形成されている。
【発明の効果】
【００１９】
斯して、本発明における緩衝機能付きフィルター枠は、カメラのレンズ鏡筒の先端部においてその外径方向に突出した高分子弾性体からなる成形加工部材のフィルター枠を装着し、該フィルター枠が撮影現場への移動中や撮影中にそのレンズ鏡筒先端部が堅いものにぶつかった場合などにフィルター枠の外周部分が緩衝材となりカメラレンズの光軸を狂わせないようにすることが可能である。
【００２０】
また、本発明の緩衝機能付きフィルター枠は、カメラのレンズ鏡筒の先端部においてその外径方向に突出した高分子弾性体からなるフィルター枠を装着し、該レンズ鏡筒先端部の外周部分を大きく付加することが可能な構成で、該外周部分を大きく付加することにより、例えば、カメラ本体を机の上等に置いた場合にカメラ本体がカメラレンズの重みで前方向に倒れることを防止してカメラ本体とレンズ鏡筒を略水平に保持または載置可能であり、カメラ本体がレンズの重みで倒れることによりカメラのレンズ鏡筒が直接衝撃を受けてレンズ光軸を狂わせないようにすることが可能である。
【００２１】
更に、本発明の緩衝機能付きフィルター枠は、レンズ鏡筒の外径寸法を大きく付加するリング形状を有しているが、該外径寸法を大きく付加したフィルター枠の外周部はレンズ鏡筒のカメラ本体側に突出してフィルター枠の厚さを保有して装着される形状を有していることから、レンズ鏡筒の前面に大きく張り出す形状ではなく、広角レンズやズームレンズそして望遠レンズ等に装着されてもケラレにくい緩衝機能付きフィルター枠を提供することができた。
【図面の簡単な説明】
【００２２】
【図１】（Ａ）本発明に係る従来例の説明図。           （Ｂ）本発明の外観説明図。
【図２】（Ａ）実施例１を説明する部材断面図。           （Ｂ）実施例１の装着状態を示す断面図。
【図３】実施例２、３の外観説明図。
【図４】（Ａ）実施例２を説明する部材断面図。           （Ｂ）実施例２の装着状態を示す断面図。
【図５】（Ａ）実施例３を説明する部材断面図。（Ｂ）実施例３の装着状態を示す断面図。
【発明を実施するための形態】
【００２３】
本発明は、高分子弾性体からなる緩衝機能付きフィルター枠に関するものであり、特に本発明は、高分子弾性体からなる合成樹脂を用いて製作されるデジタルカメラ用のレンズ保護カバーに関するものである。
【００２４】
また、本発明の緩衝機能付きフィルター枠は、高分子弾性体からなる合成樹脂、即ち、熱硬化性樹脂や熱可塑性樹脂、並びに合成樹脂を用いた繊維強化プラスチックスなどの複合材料を成形加工して製作されるものである。
【００２５】
本発明において、熱可塑性樹脂とは、ガラス転移温度、または融点まで加熱することによって柔らかくなり、目的の形に成形加工できる樹脂で、一般的に熱可塑性樹脂は、切削、研削等の機械加工がしにくい事が多く、加熱し軟化したところで金型に押し込み、冷やして固化させる射出成型加工などが広く用いられており、熱可塑性樹脂を用途により分類すると、熱可塑性エラストマーと呼ばれるシリコーンゴムやフッ素ゴム、汎用プラスチックスやエンジニアリング・プラスチック、並びにスーパーエンジニアリングプラスチックなどである。
【００２６】
本発明において使用される前記汎用プラスチックスには、ポリエチレン（ＰＥ）、ポリプロピレン（ＰＰ）、ポリ塩化ビニル（ＰＶＣ）、ポリスチレン（ＰＳ）、ポリテトラフルオロエチレン（ＰＴＦＥ）、ＡＢＳ樹脂、アクリル樹脂などがある。
【００２７】
また、本発明において使用される前記エンジニアリング・プラスチックスには、ポリアミド（ＰＡ）、ポリアセタール（ＰＯＭ）、ポリカーボネート（ＰＣ）、ポリブチレンテレフタレート（ＰＢＴ）、ポリエチレンテレフタレート（ＰＥＴ）、グラスファイバー強化ポリエチレンテレフタレート（ＧＦ−ＰＥＴ）などがある。
【００２８】
更に、本発明において使用される前記スーパーエンジニアリング・プラスチックスには、ポリフェニレンスルファイド（ＰＰＳ）、ポリテトラフロロエチレン（ＰＴＦＥ）、ポリスルホン（ＰＳＦ）、ポリエーテルサルフォン（ＰＥＳ）、非晶ポリアリレート（ＰＡＲ）、液晶ポリマー（ＬＣＰ）、熱可塑性ポリイミド（ＰＩ）、ポリアミドイミド（ＰＡＩ）などがある。
【００２９】
そして、本発明において使用される合成樹脂を用いた繊維強化プラスチックスなどの複合材料としては、ガラス繊維強化プラスチックス（ＧＦＲＰ）や炭素繊維強化プラスチックス（ＣＦＲＰ）などがある。
【００３０】
斯して、本発明は、今までに提供されていなかった新しい緩衝機能付きフィルター枠を提供するものであり、カメラのレンズ鏡筒の先端部に装着され、撮影現場への移動中や撮影中に広角レンズやズームレンズそして望遠レンズ等のレンズ鏡筒が堅いものにぶつかった場合などに緩衝機能付きフィルター枠が上記高分子弾性体により形成されていることによりフィルター枠が緩衝材となりカメラレンズの光軸を狂わせないようにすることができる高分子弾性体からなる緩衝機能付きフィルター枠を提供するものである。
【００３１】
また、本発明は、カメラのレンズ鏡筒の先端部に装着され、該レンズ鏡筒先端部の外径を大きく付加することが可能な構成で該外径部分を大きく付加することにより、例えば、カメラ本体を机の上等に置いた場合にカメラ本体がカメラレンズの重みで前方向に倒れることを防止してカメラ本体とレンズ鏡筒を略水平に保持可能であり、カメラ本体がレンズの重みで倒れることによりカメラレンズ鏡筒が衝撃を受けレンズ光軸を狂わせないようにすることができる高分子弾性体からなるデジタルカメラ用の緩衝機能付きフィルター枠を提供するものである。
【００３２】
そして、本発明の緩衝機能付きフィルター枠は、レンズ鏡筒の外径寸法を大きく付加するリング形状を有しているが、該外径寸法を大きく付加したフィルター枠の外周部はレンズ鏡筒のカメラ本体側に突出して装着された形状を有していることから、レンズ鏡筒の前面に大きく張り出す形状ではなく、広角レンズやズームレンズそして望遠レンズ等に装着されてもケラレにくい緩衝機能付きフィルター枠を提供するものである。
【００３３】
本発明において、カメラレンズ鏡筒の入射光側先端部に設けられたフィルター枠は、光軸を中心にフィルター枠縁部を形成して各種機能を有するフィルターレンズを保持し、該フィルター枠はフィルターレンズを保持したフィルター枠縁部と緩衝カバー材からなり、該フィルター枠の緩衝カバー材はフィルター枠縁部を基材として外径寸法を大きく付加するリング形状の外周部を形成し、該フィルター枠の緩衝カバー材が形成する外周部がカメラ本体を机上等に載置した際にカメラレンズの重みでカメラ本体が前方向に倒れることを防止してカメラ本体とレンズ鏡筒を略水平に保持可能にする構成であることが好ましい。
【００３４】
また、本発明において、カメラレンズ鏡筒の入射光側先端部に設けられたアタッチメント装着用の雌ネジ部に螺着されるフィルター枠は、光軸を中心にフィルター枠縁部を形成して各種機能を有するフィルターレンズを保持し、該フィルター枠はフィルターレンズを保持したフィルター枠縁部並びに緩衝カバー材と縁部カバー材からなり、該フィルター枠は前記縁部カバー材を介してレンズ鏡筒の外周部でカメラ本体側に突出して装着されており、また前記フィルター枠の緩衝カバー材はレンズ鏡筒の外径寸法を大きく付加するリング形状の外周部を形成し、該フィルター枠の緩衝カバー材が形成する外周部がカメラ本体を机上等に載置した際にカメラレンズの重みでカメラ本体が前方向に倒れることを防止してカメラ本体とレンズ鏡筒を略水平に保持可能にする構成であることが好ましい。
【００３５】
更に、本発明において、カメラレンズ鏡筒の入射光側先端部に設けられたフィルター回転枠は、光軸を中心にフィルター枠縁部を形成して円偏光フィルターレンズ及び光条効果フィルターレンズ等を有するフィルターレンズを保持し、該フィルター回転枠はフィルターレンズを保持したフィルター枠縁部並びに緩衝カバー材とフィルター縁部カバー材からなり、該フィルター回転枠は前記フィルター縁部カバー材を介してレンズ鏡筒の外周部でカメラ本体側に突出して装着されており、また前記フィルター回転枠の緩衝カバー材はレンズ鏡筒の外径寸法を大きく付加するリング形状の外周部を形成し、該フィルター回転枠はアタッチメント装着用の雌ネジ部に螺着されるフィルター固定枠に対して滑動リングを介して光軸を中心に回転可能に設けられており、前記フィルター回転枠の緩衝カバー材が形成する外周部がカメラ本体を机上等に載置した際にカメラレンズの重みでカメラ本体が前方向に倒れることを防止してカメラ本体とレンズ鏡筒を略水平に保持可能にする構成であることが好ましい。
【００３６】
そして、本発明において、前記フィルター枠またはフィルター回転枠の外周側を形成する緩衝カバー材または縁部カバー材は、比較的柔らかい緩衝用の高分子弾性体からなり、該フィルター枠の光軸側内部は硬度を有する高分子弾性体のフィルター枠にて形成されていることが好ましい。
【００３７】
また、本発明において、前記フィルター枠またはフィルター回転枠を形成する緩衝カバー材や縁部カバー材並びにフィルター枠縁部は、全体を比較的柔らかい緩衝用の高分子弾性体にて形成されていることが好ましい。
【００３８】
更に、本発明において、前記フィルター枠またはフィルター回転枠を形成する緩衝カバー材や縁部カバー材は、外部側を比較的柔らかい緩衝用の高分子弾性体にて形成し、該緩衝用の高分子弾性体の硬度は前記外部側より光軸側に向かって徐々に硬度を増す高分子弾性体にて形成されていることが好ましい。
【００３９】
斯して、本発明における緩衝機能付きフィルター枠は、カメラのレンズ鏡筒の先端部においてその外径方向に突出した高分子弾性体からなる成形加工部材のフィルター枠を装着し、該フィルター枠が撮影現場への移動中や撮影中にそのレンズ鏡筒先端部が堅いものにぶつかった場合などにフィルター枠の外周部分が緩衝材となりカメラレンズの光軸を狂わせないようにすることが可能な高分子弾性体からなる緩衝機能付きフィルター枠を提供する。
【００４０】
また、本発明の緩衝機能付きフィルター枠は、カメラのレンズ鏡筒の先端部においてその外径方向に突出した高分子弾性体からなるフィルター枠を装着し、該レンズ鏡筒先端部の外周部分を大きく付加することが可能な構成で、該外周部分を大きく付加することにより、例えば、カメラ本体を机の上等に置いた場合にカメラ本体がカメラレンズの重みで前方向に倒れることを防止してカメラ本体とレンズ鏡筒を略水平に保持または載置可能であり、カメラ本体がレンズの重みで倒れることによりカメラのレンズ鏡筒が直接衝撃を受けてレンズ光軸を狂わせないようにすることが可能な高分子弾性体からなる緩衝機能付きフィルター枠を提供する。
【００４１】
更に、本発明の緩衝機能付きフィルター枠は、レンズ鏡筒の外径寸法を大きく付加するリング形状を有しているが、該外径寸法を大きく付加したフィルター枠の外周部はレンズ鏡筒のカメラ本体側に突出してフィルター枠の厚さを保有して装着される形状を有していることから、レンズ鏡筒の前面に大きく張り出す形状ではなく、広角レンズやズームレンズそして望遠レンズ等に装着されてもケラレにくい高分子弾性体からなる緩衝機能付きフィルター枠を提供する。
【実施例１】
【００４２】
図１（Ａ）は本発明を必要とするカメラ本体、並びにカメラレンズ鏡筒部分を説明する外観図、図１（Ｂ）は本発明の外観説明図であり、図２（Ａ）は実施例１を説明する部品断面図、図２（Ｂ）は実施例１のフィルター枠装着状態を示す断面図である。
【００４３】
図１（Ａ）、（Ｂ）において、１はカメラ本体、２はズームレンズや望遠レンズ等からなるカメラのレンズ鏡筒、３はカメラ本体１が載置される机、そして、図１（Ｂ）に示す符号４ａはフィルター枠を示している。
【００４４】
而して、カメラのレンズ鏡筒２をカメラ本体１に装着したまま机３の上に載置すると図１（Ａ）に示す如く角度Ｒを有して机上に置かれることになり、カメラ本体１はカメラのレンズ鏡筒２の重みで前方向に倒れることになり、カメラ本体１がレンズ鏡筒２の重みで倒れることによりレンズ鏡筒２が衝撃を受けレンズ光軸を狂わせることになる。
【００４５】
従って、本発明では、図１（Ｂ）に示す如く、フィルター枠４ａは高分子弾性体を成形加工して製作されており、該フィルター枠４ａはカメラのレンズ鏡筒２のレンズ鏡筒先端部５に装着される構成で、該フィルター枠４ａの形状はレンズ鏡筒２における先端部の外径φを大きく付加したもので、前記フィルター枠４ａは外径φ部分を大きく付加することにより、例えば、カメラ本体１を机の上等に置いた場合にカメラ本体１がカメラのレンズ鏡筒２の重みで前方向に倒れることを防止してカメラ本体１とレンズ鏡筒２を略水平に保持または載置可能で、カメラ本体１がレンズの重みで倒れることによりレンズ鏡筒２の先端部が衝撃を受けレンズ光軸を狂わせないようにすることができる高分子弾性体からなる緩衝機能付きフィルター枠４ａを提供する。
【００４６】
尚、ズームレンズや望遠レンズ等からなるレンズ鏡筒２を装着したカメラ本体１には、三脚を用いて撮影する場合が多く、該三脚の上部に設けられた雲台にカメラ本体を装着するためにカメラ本体１の下部に雲台への装着用のシュー（図示せず）をネジ止めしていることがあり、このケースでは、カメラ本体１の下部に取付けられたシューの高さ分を前記フィルター枠４ａの外径φに付加、または外径φを大きくすることにより解決することができる。
【００４７】
斯して、前記フィルター枠４ａの具体例を実施例１において説明する。図２（Ａ）、（Ｂ）において、２はカメラのレンズ鏡筒（先端部のみを図示）、４ａはフィルター枠、５はレンズ鏡筒先端部であり、該レンズ鏡筒先端部５の内径部にはレンズアクセサリー等を装着するための雌ネジ部６が螺設されている。そして、実施例１のフィルター枠４ａには、前記レンズ鏡筒先端部５の雌ネジ部６に螺着される雄ネジ部７が螺設されており、該フィルター枠４ａは、図２（Ｂ）に示す如くレンズ鏡筒２の入射光側先端部に着脱自在に装着されている。尚、図２（Ａ）のフィルター枠４ａにおいて、Ｃはカメラレンズ鏡筒及びフィルター枠の光軸、８は入射光側を示し、９はカメラ本体側を示しており、１０は実施例１のフィルター枠４ａの前面に設けたレンズアクセサリー装着用の雌ネジである。
【００４８】
フィルター枠４ａは、前記光軸Ｃを中心にフィルター枠縁部１１を形成して、レンズ保護用のフィルター、光量調整フィルター、ソフトフォーカス用フィルター等の機能を有するフィルターレンズ１２を保持しており、また、フィルター枠４ａは前記フィルター枠縁部１１と該フィルター枠縁部１１を基材とする緩衝カバー材１３から形成されており、前記フィルターレンズ１２を除く、所謂、フィルター枠４ａは高分子弾性体を成形加工して製作されている。従って、実施例１は、カメラのレンズ鏡筒２の先端部において、その外径φ（図１Ｂに示す）の方向に突出した高分子弾性体からなる成形加工部材のフィルター枠４ａを装着し、該フィルター枠４ａが撮影現場への移動中や撮影中にそのレンズ鏡筒２の先端部が堅いものにぶつかった場合などにフィルター枠４ａの外周部１４が緩衝材となりカメラレンズの光軸Ｃを狂わせないようにすることが可能である。
【００４９】
また、カメラのレンズ鏡筒２の入射光側８の先端部に設けられたフィルター枠４ａは光軸Ｃを中心にフィルター枠縁部１１を形成して各種機能を有するフィルターレンズ１２を保持し、該フィルター枠４ａはフィルターレンズ１２を保持したフィルター枠縁部１１と緩衝カバー材１３からなり、該フィルター枠４ａの緩衝カバー材１３はフィルター枠縁部１１を基材として外径寸法φを大きく付加するリング形状の外周部１４を形成し、該フィルター枠４ａの緩衝カバー材１３が形成する外周部１４がカメラ本体１を机上等に載置した際にカメラレンズの重みでカメラ本体１が前方向に倒れることを防止してカメラ本体１とレンズ鏡筒２を略水平に保持可能にすることを特徴とする高分子弾性体からなる緩衝機能付きフィルター枠である。
【００５０】
そして、実施例１のフィルター枠４ａは、レンズ鏡筒２の外径の寸法を大きく付加するリング形状のフィルター枠４ａを有した外周部１４を形成し、該外周部の外径φの寸法を大きく付加したフィルター枠４ａの外周部１４はレンズ鏡筒２のカメラ本体側９に突出してフィルター枠２のフィルター枠縁部と同様の厚さＴ１を保有して装着される形状を有していることから、レンズ鏡筒２の前面に大きく張り出す形状ではなく、広角レンズやズームレンズそして望遠レンズ等に装着されてもケラレにくい緩衝機能付きフィルター枠を提供することが可能である。
【００５１】
斯して、本発明の実施例１における前記フィルター枠４ａの外周部１４を形成する緩衝カバー材１３やフィルター枠縁部１１は、比較的柔らかい緩衝用の高分子弾性体からなり、該フィルター枠４の光軸Ｃ側に向かって内部側は硬度を有する高分子弾性体のフィルター枠にて形成されていても良い。
【００５２】
また、実施例１における前記フィルター枠４ａを形成する緩衝カバー材１３やフィルター枠縁部１１は、全体を比較的柔らかい緩衝用の高分子弾性体にて形成されていても良い。
【００５３】
更に、実施例１における、前記フィルター枠４ａを形成する緩衝カバー材１３やフィルター枠縁部１１は、外部側を比較的柔らかい緩衝用の高分子弾性体にて形成し、該緩衝用の高分子弾性体の硬度は前記外部側より光軸Ｃ側に向かって徐々に硬度を増す高分子弾性体にて形成されていても良い。
【００５４】
斯して、上述した実施例１における緩衝機能付きフィルター枠は、カメラのレンズ鏡筒２の先端部においてその外径φの方向に突出した高分子弾性体からなる成形加工部材のフィルター枠４ａを装着し、該フィルター枠４が撮影現場への移動中や撮影中にそのレンズ鏡筒２の先端部が堅いものにぶつかった場合などにフィルター枠４ａの外周部１４が緩衝材となりカメラレンズの光軸Ｃを狂わせないようにすることが可能である。
【００５５】
また、実施例１における緩衝機能付きフィルター枠は、カメラのレンズ鏡筒２の先端部においてその外径φの方向に突出した高分子弾性体からなるフィルター枠４ａを装着し、該レンズ鏡筒２の先端部の外周部１４を大きく付加することが可能な構成で、該外周部１４を大きく付加することにより、例えば、カメラ本体１を机の上などに置いた場合にカメラ本体１がカメラレンズの重みで前方向に倒れることを防止してカメラ本体１とレンズ鏡筒２を略水平に保持、または載置可能であり、カメラ本体１がレンズの重みで倒れることによりカメラのレンズ鏡筒２が直接衝撃を受けてレンズ光軸Ｃを狂わせないようにすることが可能である。
【００５６】
更に、実施例１における緩衝機能付きフィルター枠は、フィルター枠４ａの外径φの寸法を大きく付加するリング形状を有しているが、該外径φの寸法を大きく付加したフィルター枠４ａの外周部１４は前記フィルター枠縁部１１と同様の厚さＴ１を保有して装着される形状を有していることから、レンズ鏡筒２の前面に大きく張り出す形状ではなく、広角レンズやズームレンズそして望遠レンズ等に装着されてもケラレにくい緩衝機能付きフィルター枠を提供することができた。
【実施例２】
【００５７】
図１（Ａ）は本発明を必要とするカメラ本体並びにカメラレンズ鏡筒部分を説明する外観図、図３は実施例２の外観説明図であり、図４（Ａ）は実施例２を説明する部品断面図、図４（Ｂ）は実施例２のフィルター枠装着状態を示す断面図である。
【００５８】
図１（Ａ）において、１はカメラ本体、２はズームレンズや望遠レンズ等からなるカメラのレンズ鏡筒、３はカメラ本体１が載置される机、そして、図３に示す符号４ｂはフィルター枠を示している。
【００５９】
而して、カメラのレンズ鏡筒２をカメラ本体１に装着したまま机３の上に載置すると図１（Ａ）に示す如く角度Ｒを有して机上に置かれることになり、カメラ本体１はカメラのレンズ鏡筒２の重みで前方向に倒れることになり、カメラ本体１がレンズ鏡筒２の重みで倒れることによりレンズ鏡筒２が衝撃を受けレンズ光軸を狂わせることになる。
【００６０】
従って、実施例２では、図３に示す如く、フィルター枠４ｂは高分子弾性体を成形加工して製作されており、該フィルター枠４ｂはカメラのレンズ鏡筒２のレンズ鏡筒先端部５に装着される構成で、該フィルター枠４ｂの形状はレンズ鏡筒２における先端部の外径φを大きくフィルター枠４ｂにて付加したもので、前記フィルター枠４ｂは外径φ部分を大きく付加することにより、例えば、カメラ本体１を机の上等に置いた場合にカメラ本体１がカメラのレンズ鏡筒２の重みで前方向に倒れることを防止してカメラ本体１とレンズ鏡筒２を略水平に保持または載置可能で、カメラ本体１がレンズの重みで倒れることによりレンズ鏡筒２の先端部が衝撃を受けレンズ光軸を狂わせないようにすることができる高分子弾性体からなる緩衝機能付きフィルター枠４ｂを提供する。
【００６１】
尚、ズームレンズや望遠レンズ等からなるレンズ鏡筒２を装着したカメラ本体１には、三脚を用いて撮影する場合が多く、該三脚の上部に設けられた雲台にカメラ本体を装着するためにカメラ本体１の下部に雲台への装着用のシュー（図示せず）をネジ止めしていることがあり、このケースでは、カメラ本体１の下部に取付けられたシューの高さ分を前記フィルター枠４ｂの外径φに付加、またはフィルター枠４ｂの外径φを大きくすることにより解決することができる。
【００６２】
斯して、前記フィルター枠４ｂの具体例を実施例２において説明する。図４（Ａ）、（Ｂ）において、２はカメラのレンズ鏡筒（先端部のみを図示）、４ｂはフィルター枠、５はレンズ鏡筒先端部であり、該レンズ鏡筒先端部５の内径部にはレンズアクセサリー等を装着するための雌ネジ部６が螺設されている。そして、実施例２のフィルター枠４ｂには、前記レンズ鏡筒先端部５の雌ネジ部６に螺着される雄ネジ部７が螺設されており、該フィルター枠４ｂは、図４（Ｂ）に示す如くレンズ鏡筒２の入射光側先端部に着脱自在に装着されている。尚、図４（Ａ）のフィルター枠４ｂにおいて、Ｃはカメラレンズ鏡筒及びフィルター枠の光軸、８は入射光側を示し、９はカメラ本体側を示しており、１０は実施例２のフィルター枠４ｂの前面に設けたレンズアクセサリー装着用の雌ネジである。
【００６３】
フィルター枠４ｂは、前記光軸Ｃを中心にフィルター枠縁部１１を形成して、レンズ保護用のフィルター、光量調整フィルター、ソフトフォーカス用フィルター等の機能を有するフィルターレンズ１２を保持しており、また、フィルター枠４ｂは前記フィルター枠縁部１１とレンズ鏡筒先端部５を覆う縁部カバー材１５、並びに緩衝カバー材１３から形成されており、前記フィルターレンズ１２を除く、所謂、フィルター枠４ｂは高分子弾性体を成形加工して製作されている。従って、実施例２は、カメラのレンズ鏡筒２の先端部において、その外径φの方向に突出した高分子弾性体からなる成形加工部材のフィルター枠４ｂを装着し、該フィルター枠４ｂが撮影現場への移動中や撮影中にそのレンズ鏡筒２の先端部が堅いものにぶつかった場合などにフィルター枠４ｂの外周部１４が緩衝材となりカメラレンズの光軸Ｃを狂わせないようにすることが可能である。
【００６４】
また、実施例２のフィルター枠４ｂは、前記縁部カバー材１５を介してレンズ鏡筒２の外周部１５でカメラ本体側９に突出しフィルター枠４の外観上の厚さＴ２を保有して装着されており、また前記フィルター枠４ｂの緩衝カバー材１５はレンズ鏡筒の外径寸法を大きく付加するリング形状の外周部１４を形成し、該フィルター枠４ｂの緩衝カバー材１３が形成する外周部１４がカメラ本体１（図１に示す）を机上等に載置した際にカメラレンズの重みでカメラ本体１が前方向に倒れることを防止してカメラ本体１とレンズ鏡筒２を略水平に保持、または載置可能にする高分子弾性体からなる緩衝機能付きフィルター枠である。
【００６５】
そして、実施例２のフィルター枠４ｂは、レンズ鏡筒２の外径φの寸法を大きく付加するリング形状を有しており、該フィルター枠４ｂの外径φの寸法を大きく付加したフィルター枠４ｂの外周部１４はレンズ鏡筒２のカメラ本体側９に突出してフィルター枠４ｂの外観上の厚さＴ２を保有して装着される形状を有していることから、レンズ鏡筒２の前面に大きく張り出す形状ではなく、広角レンズやズームレンズそして望遠レンズ等に装着されてもケラレにくい緩衝機能付きフィルター枠を提供することが可能である。
【００６６】
斯して、本発明の実施例２における前記フィルター枠４ｂの外周部１４を形成する緩衝カバー材１３または縁部カバー材１５は、比較的柔らかい緩衝用の高分子弾性体からなり、該フィルター枠４ｂの光軸Ｃ側に向かって内部側は硬度を有する高分子弾性体のフィルター枠にて形成されていても良い。尚、前記緩衝カバー材１３は前記フィルター枠４ｂの外周部１４より突出した外径を有するように構成したり、前記フィルター枠４ｂの外部側を全て覆う様に構成しても良い。
【００６７】
また、実施例２における前記フィルター枠４ｂを形成する緩衝カバー材１３や縁部カバー材１５、並びにフィルター枠縁部１１は、全体を比較的柔らかい緩衝用の高分子弾性体にて形成されていても良い。
【００６８】
更に、実施例２における、前記フィルター枠４ｂを形成する緩衝カバー材１３や縁部カバー材１５は、外部側を比較的柔らかい緩衝用の高分子弾性体にて形成し、該緩衝用の高分子弾性体の硬度は前記外部側より光軸Ｃ側に向かって徐々に硬度を増す高分子弾性体にて形成されていても良い。
【００６９】
斯して、上述した実施例２における緩衝機能付きフィルター枠は、カメラのレンズ鏡筒２の先端部においてその外径φの方向に突出した高分子弾性体からなる成形加工部材のフィルター枠４ｂを装着し、該フィルター枠４ｂが撮影現場への移動中や撮影中にそのレンズ鏡筒２の先端部が堅いものにぶつかった場合などにフィルター枠４ｂの外周部１４や緩衝カバー材１３、そして縁部カバー材１５が緩衝材となりカメラレンズの光軸Ｃを狂わせないようにすることが可能である。
【００７０】
また、実施例２における緩衝機能付きフィルター枠は、カメラのレンズ鏡筒２の先端部においてその外径φの方向に突出した高分子弾性体からなるフィルター枠４ｂを装着し、該レンズ鏡筒２の先端部の外周部１４を大きく付加することが可能な構成で、該外周部１４を大きく付加することにより、例えば、カメラ本体１を机の上などに置いた場合にカメラ本体１がカメラレンズの重みで前方向に倒れることを防止してカメラ本体１とレンズ鏡筒２を略水平に保持、または載置可能であり、カメラ本体１がレンズの重みで倒れることによりカメラのレンズ鏡筒２が直接衝撃を受けてレンズ光軸Ｃを狂わせないようにすることが可能である。
【００７１】
更に、実施例２における緩衝機能付きフィルター枠は、フィルター枠４ｂの外径φ寸法を大きく付加するリング形状を有しているが、該外径φの寸法を大きく付加したフィルター枠４ｂの外周部１４はレンズ鏡筒２のカメラ本体側９に突出してフィルター枠２の外観上の厚さＴ２を保有して装着される形状を有していることから、レンズ鏡筒２の前面に大きく張り出す形状ではなく、広角レンズやズームレンズそして望遠レンズ等に装着されてもケラレにくい緩衝機能付きフィルター枠を提供することができた。
【実施例３】
【００７２】
斯して、実施例３は図１（Ａ）と図３、並びに図５（Ａ）（Ｂ）に基づいて詳説する。図１（Ａ）は実施例１と同じ、図３は実施例２と同じものであり、図５（Ａ）は実施例３を説明する部品断面図、図５（Ｂ）は実施例３のフィルター枠装着状態を示す断面図である。
【００７３】
図１（Ａ）において、１はカメラ本体、２はズームレンズや望遠レンズ等からなるカメラのレンズ鏡筒、３はカメラ本体１が載置される机、そして、図３に示す符号４ｂはフィルター枠を示している。
【００７４】
そして、カメラのレンズ鏡筒２をカメラ本体１に装着したまま机３の上に載置すると図１（Ａ）に示す如く角度Ｒを有して机上に置かれることになり、カメラ本体１はカメラのレンズ鏡筒２の重みで前方向に倒れることになり、カメラ本体１がレンズ鏡筒２の重みで倒れることによりレンズ鏡筒２が衝撃を受けレンズ光軸を狂わせることになる。
【００７５】
従って、実施例３では、図３に示す如く、フィルター枠４ｂは高分子弾性体を成形加工して製作されており、該フィルター枠４ｂはカメラのレンズ鏡筒２のレンズ鏡筒先端部５に装着される構成で、該フィルター枠４ｂの形状はレンズ鏡筒２における先端部の外径φを大きく付加したもので、前記フィルター枠４ｂは外径φ部分を大きく付加することにより、例えば、カメラ本体１を机の上等に置いた場合にカメラ本体１がカメラのレンズ鏡筒２の重みで前方向に倒れることを防止してカメラ本体１とレンズ鏡筒２を略水平に保持または載置可能で、カメラ本体１がレンズの重みで倒れることによりレンズ鏡筒２の先端部が衝撃を受けレンズ光軸を狂わせないようにすることができる高分子弾性体からなる緩衝機能付きフィルター枠４ｂを提供する。
【００７６】
尚、ズームレンズや望遠レンズ等からなるレンズ鏡筒２を装着したカメラ本体１には、三脚を用いて撮影する場合が多く、該三脚の上部に設けられた雲台にカメラ本体を装着するためにカメラ本体１の下部に雲台への装着用のシュー（図示せず）をネジ止めしていることがあり、このケースでは、カメラ本体１の下部に取付けられたシューの高さ分を前記フィルター枠４の外径φに付加、または外径φを大きくすることにより解決することができる。
【００７７】
斯して、実施例３は、円偏光フィルターや光条効果フィルター等をフィルター枠の前面にフィルター回転枠として保持した構成の円偏光フィルターや光条効果フィルターに関するものであり、実施例３は円偏光フィルター枠に本発明を実施した場合を一例に本発明を説明する。
【００７８】
図５（Ａ）、（Ｂ）において、２はカメラのレンズ鏡筒（先端部のみを図示）、４ｂはフィルター枠、５はレンズ鏡筒先端部であり、該レンズ鏡筒先端部５の内径部にはレンズアクセサリー等を装着するための雌ネジ部６が螺設されている。そして、前記フィルター枠４ｂはフィルター回転枠１６とフィルター固定枠１７からなり、該フィルター回転枠１６は光軸Ｃを中心にレンズ鏡筒先端部５の入射光側８に配置され、該フィルター回転枠１６は前記フィルター固定枠１７に対して滑動リング１８を介して光軸Ｃを中心に回転可能に取付けられている。尚、１０はフィルター回転枠１５の前面に設けられたレンズアクセサリー装着用の雌ネジである。
【００７９】
また、前記フィルター固定枠１７には、レンズ鏡筒先端部５の雌ネジ部６に螺着される雄ネジ部７が螺設されており、該フィルター固定枠１７は、図５（Ｂ）に示す如くレンズ鏡筒２の入射光側８の先端部に着脱自在に装着されている。そして、前記フィルター固定枠１７は、レンズ鏡筒先端部５を覆う縁部カバー材１５、並びに緩衝カバー材１３ａから形成されており、フィルター固定枠１７は高分子弾性体を成形加工して製作されている。
【００８０】
更に、前記フィルター回転枠１６は光軸Ｃを中心にフィルター枠縁部１１を形成して、円偏光フィルター機能を有するフィルターレンズ１２を保持しており、該フィルター回転枠１６はフィルター縁部カバー材１９、並びに緩衝カバー材１３ｂから形成されており、前記フィルターレンズ１２を除く、フィルター枠４は高分子弾性体を成形加工して製作されている。
【００８１】
而して、実施例３の構成は、カメラレンズ鏡筒２の入射光側８の先端部に設けられたフィルター回転枠１６は光軸Ｃを中心にフィルター枠縁部１１を形成して円偏光フィルターレンズ及び光条効果フィルターレンズ等を有するフィルターレンズ１２を保持し、該フィルター回転枠１６はフィルターレンズ１２を保持したフィルター枠縁部１１、並びに緩衝カバー材１３ｂと縁部カバー材１５からなり、該フィルター回転枠１６は前記縁部カバー材１５を介してレンズ鏡筒２の外周部１４でカメラ本体側９に突出して装着されている。
【００８２】
また前記フィルター回転枠１６の緩衝カバー材１３ａはレンズ鏡筒２の外径φ寸法を大きく付加するリング形状の外周部１４を形成し、該フィルター回転枠１６はアタッチメント装着用の雌ネジ部６に螺着されるフィルター固定枠１７に対して滑動リング１８を介して光軸Ｃを中心に回転可能に設けられており、前記フィルター回転枠１６とフィルター固定枠１７の緩衝カバー材１３ａ、１３ｂが形成する外周部１４がカメラ本体１を机上等に載置した際にカメラレンズの重みでカメラ本体１が前方向に倒れることを防止してカメラ本体１とレンズ鏡筒２を略水平に保持または載置可能にする緩衝機能付きフィルター枠である。
【００８３】
斯して、実施例３における前記フィルター回転枠１６の外周部１４を形成する緩衝カバー材１３ｂまたはフィルター縁部カバー材１９は比較的柔らかい緩衝用の高分子弾性体からなり、該フィルター枠４ｂの光軸Ｃ側の内部は硬度を有する高分子弾性体のフィルター枠にて形成されている。尚、前記緩衝カバー材１３ｂは前記フィルター枠４ｂの外周部１４より突出した外径を有するように構成したり、前記フィルター枠４ｂのフィルター回転枠１６やフィルター固定枠１７の外部側を全て覆う様に構成しても良い。
【００８４】
また、実施例３における前記フィルター回転枠１６を形成する緩衝カバー材１３ｂやフィルター縁部カバー材１９、並びにフィルター枠縁部１１は全体を比較的柔らかい緩衝用の高分子弾性体にて形成されていても良い。
【００８５】
更に、実施例３における前記フィルター回転枠１６を形成する緩衝カバー材１３ｂやフィルター縁部カバー材１９は外部側を比較的柔らかい緩衝用の高分子弾性体にて形成し、該緩衝用の高分子弾性体の硬度は前記外部側より光軸Ｃ側に向かって徐々に硬度を増す高分子弾性体にて形成されていても良い。
【００８６】
そして、上述した実施例３における緩衝機能付きフィルター枠は、カメラのレンズ鏡筒２の先端部においてその外径φの方向に突出した高分子弾性体からなる成形加工部材のフィルター枠４ｂ、即ち、フィルター回転枠１６とフィルター固定枠１７を装着し、該フィルター回転枠１６とフィルター固定枠１７に撮影現場への移動中や撮影中にそのレンズ鏡筒２の先端部が堅いものにぶつかった場合などにフィルター回転枠１６やフィルター固定枠１７の緩衝カバー材１３ａ、１３ｂが緩衝材となりカメラレンズの光軸Ｃを狂わせないようにすることが可能である。
【００８７】
また、実施例３における緩衝機能付きフィルター枠は、カメラのレンズ鏡筒２の先端部においてその外径φの方向に突出した高分子弾性体からなるフィルター枠４ｂを装着し、該レンズ鏡筒２の先端部の外周部１４を大きく付加することが可能な構成で、該外周部１４を大きく付加することにより、例えば、カメラ本体１を机の上などに置いた場合にカメラ本体１がカメラレンズの重みで前方向に倒れることを防止してカメラ本体１とレンズ鏡筒２を略水平に保持、または載置可能であり、カメラ本体１がレンズの重みで倒れることによりカメラのレンズ鏡筒２が直接衝撃を受けてレンズ光軸Ｃを狂わせないようにすることが可能である。
【００８８】
更に、実施例２における緩衝機能付きフィルター枠は、レンズ鏡筒２の外径φの寸法を大きく付加するリング形状を有しているが、該外径φの寸法を大きく付加したフィルター枠４ｂの外周部１４はレンズ鏡筒２のカメラ本体側９に突出してフィルター枠２の外観上の厚さＴ２を保有して装着される形状を有していることから、レンズ鏡筒２の前面に大きく張り出す形状ではなく、広角レンズやズームレンズそして望遠レンズ等に装着されてもケラレにくい緩衝機能付きフィルター枠を提供することができた。
【符号の説明】
【００８９】
１  カメラ本体
２  レンズ鏡筒
３  机
４ａ、４ｂ  フィルター枠
５  レンズ鏡筒先端部
６  雌ネジ部
７  雄ネジ部
８  入射光側
９  カメラ本体側
１０  レンズアクセサリー装着用の雌ネジ
１１  フィルター枠縁部
１２  フィルターレンズ
１３、１３ａ、１３ｂ  緩衝カバー材
１４  外周部
１５  縁部カバー材
１６  フィルター回転枠
１７  フィルター固定枠
１８  滑動リング
１９  フィルター縁部カバー材
【要約】
【課題】撮影中のレンズ鏡筒を衝撃より守るための緩衝機能と、机上等に置いた場合にカメラ本体がカメラレンズの重みで前方向に倒れることを防止してカメラレンズの光軸を狂わせないようにすることができるフィルター枠を提供する。
【解決手段】フィルター枠は縁部カバー材を有しており、該縁部カバー材を介してカメラレンズ鏡筒の外周部に装着される緩衝カバー材はレンズ鏡筒の外径寸法を大きく付加するリング形状の外周部を形成し、前記緩衝カバー材の外周部がカメラ本体を机上等に載置した際にカメラレンズの重みでカメラ本体が前方向に倒れることを防止してカメラ本体とレンズ鏡筒を略水平に保持可能にする。
【選択図】図２【図１】
0005449491.tif 000002
【図２】
0005449491.tif 000003
【図３】
0005449491.tif 000004
【図４】
0005449491.tif 000005
【図５】
0005449491.tif 000006